(57)【要約】【課題】生理用ナプキン包装体の内部で畳まれている生理用ナプキンの肌に対する密着性を向上させる。【解決手段】生理用ナプキン包装体の内部で畳まれている生理用ナプキン３が、その幅方向の中央部に厚さが少なくとも５ｍｍの厚肉な部位４５を有する。生理用ナプキン３はまた、厚肉な部位４５につながる前端部３ａ寄りと後端部３ｂ寄りとのそれぞれに前方薄肉部位５１ａと後方薄肉部位５１ｂとのそれぞれを有する。前方薄肉部位５１ａは前端部３ａが後端部３ｂに向かうように折曲されていて、生理用ナプキン３の幅方向の寸法を二等分する中心線上において前方薄肉部位５１ａどうしが対向する態様にあり、後方薄肉部位５１ｂは後端部３ｂが前端部３ａに向かうように折曲されていて、その中心線上において後方薄肉部位５１ｂどうしが対向する態様にある。【選択図】図６
2011019986.tif 000002
【特許請求の範囲】
【請求項１】
透液性表面シートと不透液性裏面シートとの間に液吸収性の芯材が介在し、着用者の股部前方に位置させる前端部と、前記着用者の股部後方に位置させる後端部と、前記前端部と前記後端部とを結ぶ方向へ延びる長さ方向と、前記長さ方向に直交する幅方向とを有し、前記芯材を含む前記幅方向の中央部に少なくとも５ｍｍの厚さを有する厚肉な部位が形成されている生理用ナプキンを、前記表面シートを内側にして、前記幅方向へ延びる互いに平行な複数条の折曲部位において折り畳んで個袋に収納してある生理用ナプキン包装体であって、
前記生理用ナプキンは、前記厚肉な部位が前記生理用ナプキンの前記長さ方向における全長のうちの前記前端部寄り三分の二の範囲内に形成されており、前記長さ方向において前記厚肉な部位につながる前記前端部寄りと前記後端部寄りとのそれぞれには、前記厚肉な部位よりも厚さの薄い前方薄肉部位と後方薄肉部位とのそれぞれが形成されていて、前記前方薄肉部位には前記前端部を前記後端部に向かって折曲するための前記折曲部位が形成され、前記後方薄肉部位には前記後端部を前記前端部へ向かって折曲するための前記折曲部位が形成されていて、前記生理用ナプキンの前記幅方向の寸法を二等分する中心線上において、折曲した前記前方薄肉部位どうしが対向する態様にあるとともに、折曲した前記後方薄肉部位どうしも対向する態様にあることを特徴とする前記包装体。
【請求項２】
前記生理用ナプキンは、前記後方薄肉部位に形成された前記折曲部位における曲げ剛性と前記折曲部位の前後２０ｍｍずつの範囲内における曲げ剛性が２Ｎ以下であり、前記曲げ剛性の差が１．２Ｎ以下である請求項１記載の包装体。
【請求項３】
前記生理用ナプキンは、前記後方薄肉部位が内側となり前記前方薄肉部位が外側となるようにして四つに折り畳まれている請求項１または２記載の包装体。
【発明の詳細な説明】
【技術分野】
【０００１】
この発明は、生理用ナプキンが畳んだ状態で個袋に収納されている生理用ナプキン包装体に関する。
【背景技術】
【０００２】
従来、生理用ナプキンが畳まれて個袋に収納されている生理用ナプキン包装体は、周知である。例えば、特開平１０−１４９７４号公報（特許文献１）には、この種の包装体であって、個袋を切り開くことができるように、個袋は生理用ナプキンの端部近傍の部位が切り裂き容易に形成されている。個袋の中の生理用ナプキンは、その長さが約三分の一となるように、透液性表面シートを内側にして折り畳まれている。また、特開２００１−３７８０４号公報（特許文献２）には、生理用ナプキンの個袋構造が開示されている。この生理用ナプキンでは、吸収層に幅方向へ延びる防漏溝が形成されており、生理用ナプキンとその包装材との折曲部は、少なくとも一つが防漏溝と重なるように形成されている。
【先行技術文献】
【特許文献】
【０００３】
【特許文献１】特開平１０−１４９７４号公報
【特許文献２】特開２００１−３７８０４号公報
【発明の概要】
【発明が解決しようとする課題】
【０００４】
特許文献１に記載された生理用ナプキン包装体では、生理用ナプキンを個袋から取り出すことが容易にはなるが、折り畳まれている生理用ナプキンは、それを取り出したときには、それまで折曲されていた部位に折り癖であるしわがついて、その部位が折曲されていなかった部位に比べて柔軟で折れ曲がり易い部位に変化しているということがある。そのような生理用ナプキンを肌に当てると、生理用ナプキンはしわを境にして前後に折れ曲がり、そのしわの近傍が肌に密着し難くて肌との間に隙間を作り、その隙間から経血が漏れやすくなるという傾向がある。この傾向は、生理用ナプキンにおける液吸収性芯材の厚さが厚くなるほど顕著になる。
【０００５】
また、特許文献２に記載された生理用ナプキンは、折曲部が防漏溝を通ることによって、生理用ナプキンの折り込みが容易で、厚さのあるナプキンでも、表面が荒らされず肌触りがよく、折りしわが目立ちにくいというものである。しかし、そのような傾向は、折曲部のうちでも防漏溝を通っている部分に限られるのであって、折曲部が防漏溝から離れるにしたがって折りしわが顕著に現われて、特許文献１に記載の生理用ナプキンと同様な傾向を示すと考えられる。
【０００６】
そこで、この発明は、畳まれて個袋に収納された生理用ナプキンを取り出して着用する際に、生理用ナプキンがそれを畳むときに使用した折曲部位の近傍においても肌によく密着するように従来技術に改良を施すことを課題にしている。
【課題を解決するための手段】
【０００７】
前記課題を解決するために、この発明が対象とするのは、透液性表面シートと不透液性裏面シートとの間に液吸収性の芯材が介在し、着用者の股部前方に位置させる前端部と、前記着用者の股部後方に位置させる後端部と、前記前端部と前記後端部とを結ぶ方向へ延びる長さ方向と、前記長さ方向に直交する幅方向とを有し、前記芯材を含む前記幅方向の中央部に少なくとも５ｍｍの厚さを有する厚肉な部位が形成されている生理用ナプキンを、前記表面シートを内側にして、前記幅方向へ延びる互いに平行な複数条の折曲部位において折り畳んで個袋に収納してある生理用ナプキン包装体である。
【０００８】
かかる生理用ナプキン包装体において、この発明が特徴とするところは、次のとおりである。前記生理用ナプキンは、前記厚肉な部位が前記生理用ナプキンの前記長さ方向における全長のうちの前記前端部寄り三分の二の範囲内に形成されており、前記長さ方向において前記厚肉な部位につながる前記前端部寄りと前記後端部寄りとのそれぞれには、前記厚肉な部位よりも厚さの薄い前方薄肉部位と後方薄肉部位とのそれぞれが形成されていて、前記前方薄肉部位には前記前端部を前記後端部に向かって折曲するための前記折曲部位が形成され、前記後方薄肉部位には前記後端部を前記前端部へ向かって折曲するための前記折曲部位が形成され、前記生理用ナプキンの前記幅方向の寸法を二等分する中心線上において、折曲した前記前方薄肉部位どうしが対向する態様にあるとともに、折曲した前記後方薄肉部位どうしも対向する態様にある。
【０００９】
この発明の実施態様の一つにおいて、前記生理用ナプキンは、前記後方薄肉部位に形成された前記折曲部位における曲げ剛性と前記折曲部位の前後２０ｍｍずつの範囲内における曲げ剛性が２Ｎ以下であり、前記曲げ剛性の差が１．２Ｎ以下である。
【００１０】
この発明の実施態様の他の一つにおいて、前記生理用ナプキンは、前記後方薄肉部位が内側となり前記前方薄肉部位が外側となるようにして四つに折り畳まれている。
【発明の効果】
【００１１】
この発明に係る生理用ナプキン包装体では、生理用ナプキンに厚肉な部位が形成されていても、生理用ナプキンの前端部と後端部とには薄肉な部位が形成されていて、これらの薄肉な部位は厚肉な部位に比べて曲げ剛性が低く、折り畳んである生理用ナプキンは、その薄肉な部位において折曲されているから、包装体から取り出した生理用ナプキンでは、前端部と後端部とに深いしわが生じにくく、その生理用ナプキンを肌に当てると前端部と後端部とのそれぞれが一様に湾曲して、肌に対してよく密着する。
【００１２】
後方薄肉部位における曲げ剛性が２Ｎ以下であり、曲げ剛性の差が１．２Ｎ以下である態様のこの発明では、後方薄肉部位を折曲するときにその後方薄肉部位に折りしわが入りにくくなる。
【００１３】
後方薄肉部位が内側となり前方薄肉部位が外側となるように四つに折り畳まれている態様の生理用ナプキンを含む前記包装体では、生理用ナプキンにおける少なくとも二条の折曲部位において折りしわが入りにくくなる。
【図面の簡単な説明】
【００１４】
【図１】生理用ナプキン包装体の斜視図。
【図２】図１のＩＩ−ＩＩ線切断面を示す図。
【図３】包装体から取り出した生理用ナプキンの平面図。
【図４】図３のＩＶ−ＩＶ線切断面を示す図。
【図５】図３のＶ−Ｖ線切断面を示す図。
【図６】実施態様の一例を示す図２と同様な図。
【図７】曲げ剛性の測定方法を示す図。
【発明を実施するための形態】
【００１５】
添付の図面を参照してこの発明に係る生理用ナプキン包装体の詳細を説明すると、以下のとおりである。
【００１６】
図１，２は、生理用ナプキン包装体１の斜視図と、図１のＩＩ−ＩＩ線切断面を示す図である。包装体１は、袋状に閉じられた包装シート２と、包装シート２に被覆された生理用ナプキン３とを有する。包装シート２は、プラスチックフィルムや合成繊維製の不織布等によって形成されており、包装体１の側縁で重なり合っている部分４は、互いに溶着している。包装シート２はまた、生理用ナプキン３を取り出すための開口部６を有し、その開口部６が粘着テープ７によって一時的に閉じられている。粘着テープ７を剥離し、開口部６における包装シート２の端部２ａをもって矢印Ａ方向へ引張ると、包装シート２は溶着している部分４が剥がれて開口部６が開き、生理用ナプキン３を取り出すことができる。包装体１の内部では、生理用ナプキン３が三つに折って畳まれている。このように畳まれた生理用ナプキン３は、第１折曲部位１１と、第２折曲部位１２とを有する。
【００１７】
図３，４，５において、図３は包装体１から取り出して伸展させた生理用ナプキン３の平面図であり、図４は図３のＭ−Ｍ線に一致しているＩＶ−ＩＶ線切断面を示す図であり、図５は図３のＶ−Ｖ線切断面を示す図であり、これらの図において包装シート２の図示は省略されている。生理用ナプキン３は、着用者の股部前方に位置させる前端部３ａと、股部後方に位置させる後端部３ｂと、これら両端部３ａ，３ｂ間の中間部３ｃとを有し、前端部３ａと後端部３ｂとを結ぶ方向に延びる長さ方向が双頭矢印Ｐで示され、長さ方向Ｐに直交する幅方向が双頭矢印Ｑで示されている。生理用ナプキン３はまた、透液性表面シート１３と、不透液性裏面シート１４と、これら両シート１３，１４間に介在する液吸収性の芯材１６とを有する。表面シート１３と裏面シート１４とは、芯材１６の周縁から延出して重なり合い、溶着または接着により互いに接合して、生理用ナプキン３の両サイドと両エンドとのそれぞれに、サイドフラップ１７とエンドフラップ１８とのそれぞれを形成している。サイドフラップ１７のそれぞれには、防漏堤２１が形成されている。防漏堤２１は、長さ方向Ｐへ延びる不透液性の帯状シートによって形成されていて、図５に示されるように、外側縁部２２が溶着または接着によりサイドフラップ１７に接合する一方、内側縁部２３が芯材１６及び表面シート１３の上方にあって表面シート１３には接合しておらず、その表面シート１３との間にポケット２６を形成している。その内側縁部２３には、長さ方向Ｐへ延びる弾性部材２７が伸長状態で取り付けられており、生理用ナプキン３が長さ方向Ｐへ湾曲すると、その弾性部材２７が収縮して、内側縁部２３を表面シート１３から離間するように起立させ、ポケット２６を大きく開口させることができる。好ましい生理用ナプキン３では、サイドフラップ１７が図５のように形成されていて、不透液性の裏面シート１４と不透液性の防漏堤２１の外側縁部２２とが透液性表面シート１３の外側で重なり合い、溶着または接着により互いに接合している。かような生理用ナプキン３の表面シート１３は、不織布や開孔プラスチックフィルム等によって形成され、裏面シート１４は、不織布やプラスチックフィルム、不織布とプラスチックフィルムとを積層した複合シート等によって形成される。芯材１６は、粉砕パルプや吸水性ポリマー等の吸水性材料によって形成され、液拡散性や液透過性にすぐれたティッシュペーパーや不織布等のシート１６ａによってその吸水性材料が包まれている。裏面シート１４の下面には、生理用ナプキン３をショーツに止着するための粘着剤１４ａが塗布されている。その粘着剤１４ａに対して、包装シート２の内面が剥離可能に止着している（図２参照）。
【００１８】
図３，４，５において、生理用ナプキン３の内面には、１〜７ｍｍの幅を有する圧搾条溝３１が形成されている。条溝３１は、生理用ナプキン３を表面シート１３から裏面シート１４に向かって、表面シート１３の上から芯材１６を圧縮することによって、好ましくは加熱下に圧縮することによって形成されている。また、好ましい条溝３１は、図３に示されるように底の深い部分３２と、底の浅い部分３３とが条溝３１の長さ方向において交互に形成されている。深い部分３２では、芯材１６がその深い部分３２に隣接する浅い部分３３の芯材１６よりも高密度になるように圧搾されている。また、これら両部分３２，３３は、条溝３１の長さ方向と交差する方向へ延びていて、条溝３１の両側壁につながっている。条溝３１は、生理用ナプキン３の前端部３ａ寄りに、図において長さ方向Ｐの上方に向かって突出した曲線を画く第１前方突状部３６と、前方突状部３６よりも内側に形成された第２前方突状部３７とを有する一方、後端部３ｂ寄りに、長さ方向Ｐの下方に向かって突出した曲線を画く第１後方突状部３８と第１後方突状部３８よりも内側に形成された第２後方突状部３９とを有する。これら突状部３６〜３９のそれぞれは、生理用ナプキン３の幅を二等分する中心線Ｍ−Ｍの両側それぞれにおいて、条溝３１のうちで長さ方向Ｐへ延びる一対の直状部４１を介してつながっている。かような第１前方突状部３６と第１後方突状部３８と直状部４１とは、ほぼ長円形で中心線Ｍ−Ｍに関して対称な外側環状部４２を形成し、第２前方突状部３７と第２後方突状部３９と直状部４１とは、ほぼ長円形で中心線Ｍ−Ｍに関して対称な内側環状部４３を形成している。
【００１９】
内側環状部４３の内側部位４５は、着用者の膣口周辺に当接させる部位であって、この部位が膣口周辺に対して選択的によく密着するように、内側環状部４３の外側部位４６よりも芯材６に使用する粉砕パルプや吸水性ポリマー等の材料の目付を大きくすることによって外側部位４６よりも厚く形成されており、生理用ナプキン３の幅方向Ｑの中央部が着用者の肌に向かって外側部位４６よりも突出している（図５参照）。かような内側部位４５は、生理用ナプキン３における厚肉な部位または中高な部位と呼ぶことができる部位である。この内側部位４５、換言すると厚肉な部位４５は、生理用ナプキン３の全長Ｌを三等分する後端部寄りの線Ｓ１と前端部寄りの線Ｓ２（図３参照）のうちの線Ｓ１よりも前方の範囲に形成されている。好ましい厚肉な部位４５は、芯材６の目付が３００〜７００ｇ／ｍ２であって、少なくとも５ｍｍの厚さ、より好ましくは少なくとも６．５ｍｍの厚さを有するように形成されている。内側環状部４３の外側部位４６は、芯材６の目付が厚肉な部位４５のそれよりも小さい部位であり、その部位４６の中でも、長さ方向Ｐにおいて後端部３ｂ寄りにあって、厚肉な部位４５につながる部位は、その厚さが４ｍｍを越えることがないように芯材６の目付が調整されている薄肉な部位５１である。好ましい薄肉な部位５１の芯材６は、その目付が１００〜２５０ｇ／ｍ２の範囲にある。
【００２０】
図３，４において示されている線Ｎは、生理用ナプキン３の全長Ｌを二等分する中心線であり、線Ｓ１，Ｓ２は、全長Ｌを三等分する線であり、線Ｂ１，Ｂ２は生理用ナプキン３が図２の如く三つに畳まれていたときの折曲部位１１，１２の位置を示す線である。包装体１から取り出されたこれらの図の生理用ナプキン３は、薄肉な部位５１における折曲線Ｂ１と折曲線Ｂ１の前後２０ｍｍずつの範囲において、後記する方法で測定した曲げ剛性が２Ｎ以下、より好ましくは１．５Ｎ以下、さらに好ましくは１Ｎ以下である。また剛性の差は１．２Ｎ以下、より好ましくは１Ｎ以下である。生理用ナプキン３が畳まれるときに折曲線Ｂ１で折り曲げられると、薄肉な部位５１には、図３，４の如く、折り癖であるしわ５５が生じるということがある。しかし、折曲線Ｂ１の近傍は剛性が低く、剛性差も小さいので、生理用ナプキン３を着用するときには、折曲線Ｂ１とその近傍とが一様に湾曲して、着用した生理用ナプキン３にその外側から強い力を加えなくても着用者の肌によく密着する。このように密着した生理用ナプキン３では、しわ５５が殆ど消失しているか、または極めて浅いものになっているので、体液が折曲線Ｂ１に沿って流れ、生理用ナプキン３の側部から漏れるということがない。生理用ナプキン３はまた、それが図２の如く三つに折り重ねられる場合に、薄肉な部位５１が厚肉な部位４５に重ねられていると、厚肉な部位４５の厚さが厚いほど、薄肉な部位５１の折曲線Ｂ１の近傍、すなわち図２の折曲部位１１の近傍はゆるやかな曲線を画くように折曲されるので、折曲部位１１にはしわ５５が生じ難いか、生じたとしても浅いものになって、体液の漏れを防ぐ効果が向上する。
【００２１】
なお、生理用ナプキン３は、厚肉な部位４５が折曲線Ｂ２において折曲されているから、包装体１から取り出したときに、その部位にしわが生じているということがある。しかし、生理用ショーツを使用してこの生理用ナプキン３を着用するときには、生理用ショーツによって生理用ナプキンにその外側から強い押圧力を作用させることができるので、生理用ナプキン３を容易に肌に密着させることができる。したがって、この厚肉な部位４５に対しては、その部位の曲げ剛性を特に低くするという配慮が必ずしも必要ではない。
【００２２】
図６は、この発明の実施態様の一例を示す図２と同様な図であって、図１におけるＩＩ−ＩＩ線は、図３の中心線Ｍ−Ｍに一致しているかほぼ一致している線である。この場合の生理用ナプキン包装体１では、生理用ナプキン３が四つに折り重ねられている。この包装体１でも、生理用ナプキン３は、剛性が低く、剛性差の小さい薄肉な部位５１において折曲されている。生理用ナプキン３の中心線Ｍ−Ｍ上においては、前端部３ａで折曲されている薄肉な部位５１である前方薄肉部位５１ａどうしが互いに対向する態様にあり、後端部３ｂで折曲されている薄肉な部位５１である後方薄肉部位５１ｂどうしも互いに対向する態様にある。
【００２３】
図７は、生理用ナプキン３の剛性測定方法を示す図である。生理用ナプキン３は、表面シート１３が下になるように水平な支持台１０１に載せる。その生理用ナプキン３は、２ｋｇのウエイト１０２を載せて支持台１０１に固定する。支持台と生理用ナプキン３との間にはＴＯＹＯ  ＲＯＳＨＩ  ＫＡＩＳＨＡ製の８０×１８０ｍｍのろ紙（ｔｙｐｅ  ＡＮＡＮＡＳＨＩ）１０３を２枚挿入して、ろ紙の端部を８０ｍｍだけ支持台１０１から延出させ、支持台１０１から延出する部分の生理用ナプキン３を下から支える。生理用ナプキン３は、剛性測定部位３ａを支持台１０１のエッジ１０１ａに一致させておく。エッジ１０１ａから水平方向への寸法ａが２０ｍｍとなる点において、生理用ナプキン３にデジタルフォースゲージ（ＳＨＩＭＰＯ  ＦＧＣ−２）１０５のセンサー部１０６を当てる。センサー部１０６を２０ｍｍ／ｍｉｎの速度で垂直に下降させ、エッジ１０１ａからの垂直方向の寸法ｂが５ｍｍになるまでの間の最大値を単位Ｎで求める。この測定方法において、重ね合わせた２枚のろ紙の剛性は０．５３Ｎであったから、測定部位３ａにおける曲げ剛性は、測定部位３ａで測定された最大値から０．５３Ｎを引いた値とした。なお、生理用ナプキン３が図３に示されるような防漏堤２１を有する場合には、その防漏堤２１が生理用ナプキン３の内面から起立する部分を切り取って測定する。また、生理用ナプキン３が芯材６の縁部から２０ｍｍ以上延出するフラップ１７や翼部（図示せず）を有する場合には、その延出する寸法が１０〜１５ｍｍとなるようにフラップ１７や翼部を切り取って測定する。
（実施例）
【００２４】
個袋から取り出された図２〜４の形状の生理用ナプキンであって、厚肉な部位の厚さが５〜７．５ｍｍであり、薄肉な部位の厚さが４ｍｍ以下であるものについて、後端部寄りに形成された折曲部位とその前後２０ｍｍの距離における剛性と剛性差とを測定する一方、生理用ショーツを使用してその生理用ナプキンを透明な人体模型に着用させ、生理用ナプキン後端部寄りに形成された折曲線とその近傍の部分の人体模型表面に対するフィット状況を観察した。また、比較例として、個袋から取り出された図２の形状を有する生理用ナプキンであって、生理用ナプキン後端部寄りに形成された折曲部位とその前後２０ｍｍの距離において剛性が２Ｎを越えているか、剛性差が１．２Ｎを越えている生理用ナプキンについての人体模型表面に対するフィット状況を観察した。これらの観察結果は、表１のとおりであった。
【００２５】
【表１】
2011019986.tif 000003
【符号の説明】
【００２６】
１    生理用ナプキン包装体
３    生理用ナプキン
３ａ  前端部
３ｂ  後端部
１１  折曲部位
１２  折曲部位
１３  表面シート
１４  裏面シート
１６  芯材
４５  厚肉な部位
５１  薄肉な部位
５１ａ  前方薄肉部位
５１ｂ  後方薄肉部位
Ｂ１    折曲線
Ｍ−Ｍ  中心線
Ｐ    長さ方向
Ｑ    幅方向
【図１】
2011019986.tif 000004
【図２】
2011019986.tif 000005
【図３】
2011019986.tif 000006
【図４】
2011019986.tif 000007
【図５】
2011019986.tif 000008
【図６】
2011019986.tif 000009
【図７】
2011019986.tif 000010